(57)【要約】【課題】従来のシステム系統にノンリニアバンクシステムから制御可能なラウドネスのレベルコントローラを組み込むことにより、ラウドネスメータで測定したラウドネス測定値を基にレベルコントローラで音声レベル調整を行い、放送素材のプレビュー及び送出時のラウドネス自動調整を可能とする。【解決手段】ＶＴＲと、ビデオサーバと、ビデオサーバとＶＴＲを制御する制御装置とを有するノンリニアバンクシステムにおいて、放送素材のラウドネス値を測定するラウドネスメータと、放送素材の音声レベル調整を行うレベルコントローラとを有し、放送素材をビデオサーバに収録する際に、制御装置がラウドネスメータで測定した放送素材のラウドネス測定値を記憶部に記憶しておき、放送素材をプレビューする際に、制御装置が記憶部に記憶したラウドネス測定値をレベルコントローラに出力し、レベルコントローラがラウドネス測定値を基に放送素材の音声レベル調整を行った後、放送素材を制御装置に出力する。【選択図】  図１
2014216918.tif 000002
【特許請求の範囲】
【請求項１】
放送素材を記録及び再生する映像信号記録再生装置と、前記放送素材の映像信号をエンコードして映像ファイルデータとして収録すると共に、再生した映像ファイルデータをデコードして映像信号として出力するビデオサーバと、前記ビデオサーバの収録及び再生と前記映像信号記録再生装置を制御する制御装置とを有し、前記放送素材を映像ファイルデータとして収録し再生するノンリニアバンクシステムにおいて、
前記放送素材のラウドネス値を測定するラウドネスメータと、前記放送素材の音声レベル調整を行うレベルコントローラとを有し、
前記放送素材を前記ビデオサーバに収録する際に、前記制御装置が前記ラウドネスメータで測定した前記放送素材のラウドネス測定値を記憶部に記憶しておき、
前記放送素材をプレビューする際に、前記制御装置が前記記憶部に記憶した前記ラウドネス測定値を前記レベルコントローラに出力し、前記レベルコントローラが前記ラウドネス測定値を基に前記放送素材の音声レベル調整を行った後、前記放送素材を前記制御装置に出力することを特徴とするノンリニアバンクシステム。
【請求項２】
請求項１記載のノンリニアバンクシステムにおいて、ＣＭ一本化ＶＴＲを作成する際に、前記制御装置が予め前記ラウドネスメータで測定し、前記記憶部に記憶したＣＭ素材及び放送素材のラウドネス測定値を前記レベルコントローラに出力し、前記レベルコントローラが前記ＣＭ素材及び放送素材の前記ラウドネス測定値を基に前記ビデオサーバから出力された前記ＣＭ素材及び放送素材の音声レベル調整を行った後、前記映像信号記録再生装置に記録させることを特徴とするノンリニアバンクシステム。
【発明の詳細な説明】
【技術分野】
【０００１】
本発明は、放送素材プレビュー・送出時及びＣＭ一本化ＶＴＲ作成時のラウドネス自動調整機能を有するノンリニアバンクシステムに関する。
【背景技術】
【０００２】
近年、デジタルテレビ放送において、人の聴覚で感じる音の大きさが、番組とコマーシャル（ＣＭ）とでばらつくことが問題となり、「デジタルテレビ放送番組におけるラウドネス運用規定」（非特許文献１参照）が策定された。この規定が定めるラウドネス値は、人の聴覚特性を模したアルゴリズムにより測定され、単位にＬＫＦＳ（Loudness  K-weighting  Full-Scale）を用いる。平均ラウドネス値としては目標値を−２４ＬＫＦＳとし、運用上の許容範囲は目標値の±１ｄＢとされている。そのため、放送事業者等は、平均ラウドネス値が規定を満たしているか確認し、適宜レベル調整等が必要となる。
【０００３】
ここで、従来のラウドネスメータを備えたノンリニアバンクシステムについて、図７及び図８を参照して説明する。図７は、従来のノンリニアバンクシステムにおいて、事前にラウドネス測定を行う際の系統を示す図であり、また、図８は、従来のノンリニアバンクシステムにおいて、素材収録／プレビューを行う際の系統を示す図である。
従来のノンリニアバンクシステム１００は、映像信号記録再生装置（ＶＴＲ）１０と、マトリックススイッチャ２０と、登録／プレビュー端末３０と、ビデオサーバ４０と、バンク登録コントローラ５０と、バンク送出コントローラ６０と、バンクＤＢ７０と、ラウドネスメータ８０とを含んで構成され、それぞれがＬＡＮ（Local  Area  Network）を介して接続されている。
【０００４】
映像信号記録再生装置（ＶＴＲ）１０は、放送素材の映像信号を記録及び再生し、再生した映像信号をマトリックススイッチャ２０に出力する。
マトリックススイッチャ２０は、映像信号記録再生装置（ＶＴＲ）１０またはビデオサーバ４０から入力された放送素材の切り替え或いは分配を行う。
登録／プレビュー端末３０は、ユーザーが操作する端末であり、ユーザーからの入力操作によって、各装置に対して制御信号を送信する。
ビデオサーバ４０は、映像信号記録再生装置（ＶＴＲ）１０からマトリックススイッチャ２０を介して入力された放送素材をエンコードして映像ファイルデータとして収録すると共に、再生した映像ファイルデータをデコードして映像信号として出力する。
バンク登録コントローラ５０は、映像信号記録再生装置（ＶＴＲ）１０及びマトリックススイッチャ２０の動作制御と、ビデオサーバ４０の収録並びに再生を制御する。
バンク送出コントローラ６０は、放送する番組のプレイリストに基づいてビデオサーバ４０からＯＡ（ON  AIR）用の放送素材の出力制御を行う。
バンクＤＢ７０は、ノンリニアバンクシステム１００での様々な情報を記憶するためのデータベースである。
ラウドネスメータ８０は、放送素材のラウドネス値を測定するための測定器である。
【０００５】
従来のノンリニアバンクシステム１００では、放送素材をビデオサーバ４０に収録する際に、図７の太い破線で示すように、事前に映像信号記録再生装置（ＶＴＲ）１０からの出力信号を、登録系統を使用して放送素材（番組）の始点から終点までのラウドネス値をラウドネスメータ８０で実時間かけて測定する。
その後、図８の太い破線で示すように、放送素材全体の平均ラウドネス値が−２４ＬＫＦＳの基準レベルになるよう映像信号記録再生装置（ＶＴＲ）１０側で音声レベル調整を行い、登録／プレビュー端末３０及びバンク登録コントローラ５０を使用してビデオサーバ４０への素材収録処理を行う。ビデオサーバ４０に収録された放送素材は、登録／プレビュー端末３０及びバンク登録コントローラ５０を使用しプレビュー系統のラウドネスメータ８０を介して放送素材全体の平均ラウドネス値が基準値となっているかの再確認を行う。なお、ビデオサーバ４０は、登録系統などから受取った放送素材の映像信号をプレビュー系統にそのまま出力することもできる。
【先行技術文献】
【非特許文献】
【０００６】
【非特許文献１】ＡＲＩＢ  ＴＲ−Ｂ３２  デジタルテレビ放送番組におけるラウドネス運用規定、社団法人電波産業会、１．０版、平成２３年３月２８日策定、[平成２５年２月４日検索]、インターネット＜URL：http://www.arib.or.jp/english/html/overview/doc/4-TR-B32v1_0.pdf＞
【発明の概要】
【発明が解決しようとする課題】
【０００７】
上述したように、従来のノンリニアバンクシステム１００では、放送素材をビデオサーバ４０に登録する前に実時間掛けてラウドネスチェックを行い、さらに実時間掛けてビデオサーバ４０に登録するという二重の実時間が掛ることとなる。ＣＭのような短尺素材もさることながら、番組のような長尺素材に関しては大幅な時間を費やすこととなり、放送局の運用面から見ても作業量大及び時間コスト大となっていた。
【０００８】
本発明は、上記事情に鑑みてなされたものであって、従来のシステム系統にノンリニアバンクシステムから制御可能なラウドネスのレベルコントローラを組み込むことにより、ラウドネスメータで測定したラウドネス測定値を基にレベルコントローラで音声レベル調整を行い、放送素材のプレビュー及び送出時のラウドネス自動調整を可能とし、更には、ＣＭ一本化ＶＴＲ作成時においてもラウドネス自動調整を可能とするノンリニアバンクシステムを提供することを目的とする。
【課題を解決するための手段】
【０００９】
上記目的を達成するための本発明の一態様のノンリニアバンクシステムは、放送素材を記録及び再生する映像信号記録再生装置と、前記放送素材の映像信号をエンコードして映像ファイルデータとして収録すると共に、再生した映像ファイルデータをデコードして映像信号として出力するビデオサーバと、前記ビデオサーバの収録及び再生と前記映像信号記録再生装置を制御する制御装置とを有し、前記放送素材を映像ファイルデータとして収録し再生するノンリニアバンクシステムにおいて、前記放送素材のラウドネス値を測定するラウドネスメータと、前記放送素材の音声レベル調整を行うレベルコントローラとを有し、前記放送素材を前記ビデオサーバに収録する際に、前記制御装置が前記ラウドネスメータで測定した前記放送素材のラウドネス測定値を記憶部に記憶しておき、前記放送素材をプレビューする際に、前記制御装置が前記記憶部に記憶した前記ラウドネス測定値を前記レベルコントローラに出力し、前記レベルコントローラが前記ラウドネス測定値を基に前記放送素材の音声レベル調整を行った後、前記放送素材を前記制御装置に出力することを特徴とする。
【００１０】
また、上記目的を達成するための本発明の一態様のノンリニアバンクシステムは、上記のノンリニアバンクシステムにおいて、ＣＭ一本化ＶＴＲを作成する際に、前記制御装置が予め前記ラウドネスメータで測定し、前記記憶部に記憶したＣＭ素材及び放送素材のラウドネス測定値を前記レベルコントローラに出力し、前記レベルコントローラが前記ＣＭ素材及び放送素材の前記ラウドネス測定値を基に前記ビデオサーバから出力された前記ＣＭ素材及び放送素材の音声レベル調整を行った後、前記映像信号記録再生装置に記録させることを特徴とする。
【発明の効果】
【００１１】
以上説明したように、本発明によれば、従来のシステム系統にノンリニアバンクシステムから制御可能なラウドネスのレベルコントローラを組み込むことにより、ラウドネスメータで測定したラウドネス測定値を基にレベルコントローラで音声レベル調整を行い、放送素材のプレビュー及び送出時のラウドネス自動調整を可能とし、更には、ＣＭ一本化ＶＴＲ作成時においてもラウドネス自動調整を可能とするノンリニアバンクシステムを提供することができる。
【図面の簡単な説明】
【００１２】
【図１】本発明の実施形態１に係るノンリニアバンクシステムの全体構成の一例を示す図である。
【図２】本発明の実施形態１に係るノンリニアバンクシステムにおいて、素材登録する際の自動ラウドネス機能の流れを示す系統図である。
【図３】本発明の実施形態１に係るノンリニアバンクシステムにおいて、素材プレビューする際の自動ラウドネス機能の流れを示す系統図である。
【図４】本発明の実施形態１に係るノンリニアバンクシステムにおいて、素材ＯＡする際の自動ラウドネス機能の流れを示す系統図である。
【図５】本発明の実施形態１に係るノンリニアバンクシステムにおいて、ＣＭ一本化ＶＴＲを作成する際の自動ラウドネス機能の流れを示す系統図である。
【図６】ＣＭ一本化ＶＴＲ作成時のプレイリスト画面にラウドネス測定値及びラウドネス補正値を表示した一例を示す図である。
【図７】従来のノンリニアバンクシステムにおいて、事前にラウドネス測定を行う際の系統を示す図である。
【図８】従来のノンリニアバンクシステムにおいて、素材収録／プレビューを行う際の系統を示す図である。
【発明を実施するための形態】
【００１３】
＜実施形態１＞
（ノンリニアバンクシステムの構成）
以下、本発明の実施形態１に係るノンリニアバンクシステムについて、図１〜５を参照して詳細に説明する。
図１は、本発明の実施形態１に係るノンリニアバンクシステムの全体構成の一例を示す図である。図２は、本発明の実施形態１に係るノンリニアバンクシステムにおいて、素材登録する際の自動ラウドネス機能の流れを示す系統図である。図３は、本発明の実施形態１に係るノンリニアバンクシステムにおいて、素材プレビューする際の自動ラウドネス機能の流れを示す系統図である。図４は、本発明の実施形態１に係るノンリニアバンクシステムにおいて、素材ＯＡする際の自動ラウドネス機能の流れを示す系統図である。また、図５は、本発明の実施形態１に係るノンリニアバンクシステムにおいて、ＣＭ一本化ＶＴＲを作成する際の自動ラウドネス機能の流れを示す系統図である。
本発明の実施形態１に係るノンリニアバンクシステム１は、図１に示すように、映像信号記録再生装置（ＶＴＲ）１０と、マトリックススイッチャ２０と、登録／プレビュー端末３０と、ビデオサーバ４０と、バンク登録コントローラ５０と、バンク送出コントローラ６０と、バンクＤＢ７０と、ラウドネスメータ８０と、レベルコントローラ９０とを含んで構成され、それぞれがＬＡＮ（Local  Area  Network）を介して接続されている。なお、図１〜図５中、図７及び図８と同一構成部分には同一符号を付している。
【００１４】
映像信号記録再生装置（ＶＴＲ）１０は、放送素材の映像信号を記録及び再生し、再生した映像信号をマトリックススイッチャ２０に出力する。
マトリックススイッチャ２０は、映像信号記録再生装置（ＶＴＲ）１０またはビデオサーバ４０から入力された放送素材の切り替え或いは分配を行う。
登録／プレビュー端末３０は、ユーザーが操作する端末であり、ユーザーからの入力操作によって、各装置に対して制御信号を送信する。
ビデオサーバ４０は、映像信号記録再生装置（ＶＴＲ）１０からマトリックススイッチャ２０を介して入力された放送素材をエンコードして映像ファイルデータとして収録すると共に、再生した映像ファイルデータをデコードして映像信号として出力する。
バンク登録コントローラ５０は、映像信号記録再生装置（ＶＴＲ）１０及びマトリックススイッチャ２０の動作制御と、ビデオサーバ４０の収録並びに再生を制御する。
バンク送出コントローラ６０は、放送する番組のプレイリストに基づいてビデオサーバ４０からＯＡ（ON  AIR）用の放送素材の出力制御を行う。
バンクＤＢ７０は、ノンリニアバンクシステム１での様々な情報を記憶するためのデータベースであり、ラウドネスメータ８０で測定した放送素材のラウドネス測定値も記憶する。
ラウドネスメータ８０は、放送素材のラウドネス値を測定するための測定器であり、バンク登録コントローラ５０からの指示により、放送素材のラウドネス値を測定し、測定したラウドネス測定値をバンク登録コントローラ５０に通知する。
レベルコントローラ９０は、バンク登録コントローラ５０からの指示により、放送素材のラウドネス測定値を基にして音声レベル調整を行う。
【００１５】
次に、本発明の実施形態１に係るノンリニアバンクシステム１において、放送素材をビデオサーバ４０に収録する際の動作について、図２を参照して説明する。
放送素材をビデオサーバ４０に収録する際に、通常ユーザーは登録／プレビュー端末３０を使用して放送素材の収録を行うが、本発明のノンリニアバンクシステム１では、図２の太い破線で示すように、そのシーケンス部分にビデオサーバ４０へ入力する映像信号（ＳＤＩ：Serial  Digital  Interface）と同信号をマトリックススイッチャ２０を介してラウドネスメータ８０の系統にも入力する制御とビデオサーバ４０への素材収録と同時に素材始点から終点までラウドネスメータ８０で測定する制御を加える。
つまり、ユーザーが登録／プレビュー端末３０を使用してバンク登録コントローラ５０に放送素材の収録指示を送信すると、バンク登録コントローラ５０は、マトリックススイッチャ２０に対し、映像信号記録再生装置（ＶＴＲ）１０から出力された放送素材（ＳＤＩ信号）をビデオサーバ４０並びにラウドネスメータ８０へ入力するよう指示する。また、バンク登録コントローラ５０は、ラウドネスメータ８０に対し、入力された放送素材のラウドネス値を測定するよう指示する。ラウドネスメータ８０は、測定した放送素材のラウドネス値の測定結果をバンク登録コントローラ５０に通知する。バンク登録コントローラ５０は、ラウドネスメータ８０から取得したラウドネス測定値をバンクＤＢ７０に登録する。これにより、ノンリニアバンクシステム１として放送素材毎にラウドネス測定値をバンクＤＢ７０上で管理することが可能となる。
【００１６】
次に、本発明の実施形態１に係るノンリニアバンクシステム１において、放送素材をプレビューする際の動作について、図３を参照して説明する。
放送素材をプレビューする際には、図３の太い破線で示すように、ユーザーは登録／プレビュー端末３０を使用してマトリックススイッチャ２０でビデオサーバ４０からの出力をプレビュー系統に出力出来るようクロスポイント制御を行う。本発明のノンリニアバンクシステム１では、プレビュー系統にレベルコントローラ９０を組み込み、実際の放送素材プレビューシーケンス部分にバンクＤＢ７０から当該放送素材のラウドネス測定結果を呼び出し、それに応じた音声レベルコントロール制御を加える。
つまり、ユーザーが登録／プレビュー端末３０を使用してバンク登録コントローラ５０に放送素材のプレビューを指示すると、バンク登録コントローラ５０は、マトリックススイッチャ２０に対し、ビデオサーバ４０からの出力をプレビュー系統に出力するよう指示する。また、バンク登録コントローラ５０は、バンクＤＢ７０から当該放送素材のラウドネス測定値を呼び出してレベルコントローラ９０に出力する。レベルコントローラ９０は、バンク登録コントローラ５０から入力されたラウドネス測定値を基にプレビューによる放送素材の音声レベルが規準レベル（−２４ＬＫＦＳ）になるよう制御して、ラウドネスメータ８０に出力する。バンク登録コントローラ５０は、ラウドネスメータ８０に対し、レベルコントローラ９０から入力されたプレビュー用の放送素材のラウドネス値を測定するよう指示する。ラウドネスメータ８０は、測定したプレビュー用の放送素材のラウドネス値の測定結果をバンク登録コントローラ５０に通知する。バンク登録コントローラ５０は、ラウドネスメータ８０から取得したプレビュー用の放送素材の音声レベル調整後のラウドネス測定値をバンクＤＢ７０に登録する。これにより、プレビューシーケンス内でラウドネス調整された音声プレビューを行うことができる。さらに、プレビュー時においても放送素材の始点から終点までラウドネスメータ８０の自動測定制御を行うことで放送素材のラウドネス値の再確認を行うことができる。再確認において放送素材のラウドネス測定値を変更したい場合は、再度測定結果取得を行いバンクＤＢ７０へ測定結果の更新を行う。
【００１７】
次に、本発明の実施形態１に係るノンリニアバンクシステム１において、放送素材のＯＡを行う際の動作について、図４を参照して説明する。
放送素材のＯＡを行う際には、図４の太い破線で示すように、バンク送出コントローラ６０は、バンクＤＢ７０から当該放送素材のラウドネス測定値を呼び出してレベルコントローラ９０に出力する。レベルコントローラ９０は、入力されたラウドネス測定値を基にＯＡ系統の放送素材の音声レベル調整を行い、ＯＡ用に出力する。これにより、ノンリニアバンクシステム１において、ＯＡ時の自動ラウドネスコントロールが可能となる。
【００１８】
次に、本発明の実施形態１に係るノンリニアバンクシステム１において、ＣＭ一本化ＶＴＲを作成する際の動作について、図５を参照して説明する。
収録している放送素材がＣＭ素材であり、ユーザーがＣＭ一本化ＶＴＲを作成する際には、図５の太い破線で示すように、まず、登録／プレビュー端末３０を使用してマトリックススイッチャ２０でビデオサーバ４０からの出力をＣＭ一本化系統に出力できるようクロスポイント制御を行う。番組のプレイリストに従って複数のＣＭ素材を連続出力しＣＭ一本化ＶＴＲを作成するシーケンスの中でバンクＤＢ７０から当該ＣＭ素材及び放送素材のラウドネス測定値を呼び出し、それに応じた音声レベルコントロール制御を加える。
つまり、ユーザーが登録／プレビュー端末３０を使用してバンク登録コントローラ５０にＣＭ一本化を指示すると、バンク登録コントローラ５０は、マトリックススイッチャ２０に対し、ビデオサーバ４０からの出力をＣＭ一本化系統に出力するよう指示する。また、バンク登録コントローラ５０は、バンクＤＢ７０からＣＭ素材と放送素材のラウドネス測定値を呼び出してレベルコントローラ９０に出力する。レベルコントローラ９０は、バンク登録コントローラ５０から入力されたラウドネス測定値を基にＣＭ一本化系統から入力されたＣＭ素材と放送素材の音声レベルが規準レベル（−２４ＬＫＦＳ）になるよう制御して、映像信号記録再生装置（ＶＴＲ）１０に出力する。これにより、ノンリニアバンクシステム１において、ラウドネスメータ８０で測定したＣＭ素材及び放送素材のラウドネス測定値を基にレベルコントローラ９０で音声レベル調整を行うことで、ＣＭ一本化ＶＴＲ作成時のラウドネス自動調整を可能とする。
【００１９】
なお、ユーザーは、ＣＭ一本化ＶＴＲ作成時、登録／プレビュー端末３０を使って、所望する日付の番組プレイリストに各放送素材のラウドネス測定値とラウドネス補正値を同時に表示させることが可能である。
登録／プレビュー端末３０は、バンク送出コントローラ６０から所望する日付の番組素材のプレイリストを呼び出し、バンクＤＢ７０から当該番組素材のラウドネス測定値を呼び出し、また、レベルコントローラ９０から当該番組素材のラウドネス補正値を呼び出して、モニタ画面に一覧表示する。例えば、図６は、ＣＭ一本化ＶＴＲ作成時のプレイリスト画面にラウドネス測定値及びラウドネス補正値を表示した一例を示す図である。番組のプレイリストを表示した画面５００には、選択された日付の番組内容が表示されており、例えば、開始時間「１０：００：００」，終了時間「１０：００：１５」の番組素材「Ｇ０００００ＡＡ０１」のラウドネス測定値５０１は「−２６ＬＫＦＳ」、ラウドネス補正値５０２は「０ＬＫＦＳ」であり、また、開始時間「１０：００：１５」，終了時間「１０：００：３０」のＣＭ素材「ＣＭ００００１Ｇ」のラウドネス測定値５０１は「−２０ＬＫＦＳ」、ラウドネス補正値５０２は「０ＬＫＦＳ」であることがわかる。因みに、ラウドネス測定値５０１が規準レベル（−２４ＬＫＦＳ）より低い場合は、補正する必要がないため、補正値５０２はすべて「０ＬＫＦＳ」となっている。
【００２０】
以上説明したように、本発明の実施形態１に係るノンリニアバンクシステム１によれば、従来のシステム系統にノンリニアバンクシステムから制御可能なラウドネスのレベルコントローラを組み込むことにより、ラウドネスメータで測定したラウドネス測定値を基にレベルコントローラで音声レベル調整を行い、放送素材のプレビュー及び送出時のラウドネス自動調整を可能とし、更には、ＣＭ一本化ＶＴＲ作成時においてもラウドネス自動調整を可能とするノンリニアバンクシステムを提供することができる。
【００２１】
なお、本発明の範囲は、図示され記載された例示的な実施形態に限定されるものではなく、本発明が目的とするものと均等な効果をもたらすすべての実施形態をも含む。さらに、本発明の範囲は、すべての開示されたそれぞれの特徴のうち特定の特徴のあらゆる所望する組み合わせによって画されうる。
【符号の説明】
【００２２】
１：ノンリニアバンクシステム、１０：映像信号記録再生装置（ＶＴＲ）、２０：マトリックススイッチャ、３０：登録／プレビュー端末、４０：ビデオサーバ、５０：バンク登録コントローラ、６０：バンク送出コントローラ、７０：バンクＤＢ、８０：ラウドネスメータ、９０：レベルコントローラ、１００：ノンリニアバンクシステム、５００：画面、５０１：ラウドネス測定値、５０２：ラウドネス補正値。
【図１】
2014216918.tif 000003
【図４】
2014216918.tif 000004
【図６】
2014216918.tif 000005
【図２】
2014216918.tif 000006
【図３】
2014216918.tif 000007
【図５】
2014216918.tif 000008
【図７】
2014216918.tif 000009
【図８】
2014216918.tif 000010